(57)【要約】【課題】  本発明は、簡単な操作で、滅菌状態を保ちつつ、分岐部のない回路部分で使用される複数の管体を接続することができる。【解決手段】  本発明は、雄コネクタ組立体１と、雌コネクタ組立体９と、パッキ６ンとを備え、  雄側リング３が雄側連通管２に対して回動自在となっており、雌側リング１１が雌側連通管１０の軸方向に摺動可能となっており、  パッキン６により雄側連通管２と雌側連通管１０との間を密封させた状態で、雄側リング３を回動させることにより、雄側リング係合部８および雌側リング係合部２２の回動方向の位置を一致させ、雌側リング１１を、雄側連通管２の軸方向に近づけて移動させることにより、雄側リング係合部８と雌側リング係合部２２とを係合させて、雄側連通管２又は雌側連通管１０が回動しても、雄側リング３及び雌側リング１１は一体として固定状態に維持されるようになっている体外循環回路用コネクタ２７である。【選択図】  図１
2006000280.tif 000002
【特許請求の範囲】
【請求項１】
体外循環回路において使用される第１管体及び第２管体を接続する体外循環回路用コネクタにおいて、
一端部が第１管体連接部となっている雄側連通管、及び、雄側連通管の外周に装着され、雄側係合部が形成された雄側リングを有する雄コネクタ組立体と、
一端部が第２管体連接部となっている雌側連通管、及び、雌側連通管の外周に装着され、雄側係合部と係合する雌側係合部が形成された雌側リングを有する雌コネクタ組立体と、
雄側連通管と雌側連通管との間を密封するパッキンと、を備え、
雄側リングが雄側連通管に対して回動自在となっているか、又は、雌側リングが雌側連通管に対して回動自在となっており、
雌側リングが雌側連通管の軸方向に摺動可能となっているか、又は、雄側リングが雄側連通管の軸方向に摺動可能となっており、
雄コネクタ組立体及び雌コネクタ組立体を、相対的に雄側連通管の軸方向に近づけることによって、パッキンにより雄側連通管と雌側連通管との間を密封させた状態で、雄側リング又は雌側リングを回動させることにより、雄側リング係合部および雌側リング係合部の回動方向の位置を一致させ、雄側リング又は雌側リングを、雄側連通管の軸方向に近づけて移動させることにより、雄側リング係合部と雌側リング係合部とを係合させて、雄側連通管又は雌側連通管が回動しても、雄側リング及び雌側リングは一体として固定状態に維持されるようになっていることを特徴とする体外循環回路用コネクタ。
【請求項２】
雌側連通管は、一端部側に細径部、他端部側に太径部、細径部と太径部を繋ぐ段差部を有し、
雄側リングは雄側連通管に対して回動自在となっていると共に、雄側リングは雄側連通管の軸方向に摺動できず、更に、雌側リングは雌側連通管に対して回動できないと共に、雌側リングは雌側連通管の軸方向に摺動可能となっており、
パッキンは、雄側連通管外周部における第１管体連接部に対し反対側端部に固定されており、
雄側リング係合部は切り欠き部、雌側リング係合部は切り欠き受部となっており、
雄コネクタ組立体を雌コネクタ組立体に対し近づけることによって、パッキンを雌側連通管の段差部内面に当接させた状態で、雄側リングを回動させることにより、切り欠き部および切り欠き受部の回動方向の位置を一致させ、雌側リングを、雄側連通管の軸方向に近づけて移動させることにより、切り欠き受部を切り欠き部に嵌め込んで、雄側連通管が回動しても、雄側リング、雌側リング、及び雌側連通管は固定状態に維持されるようになっており、
切り欠き受部が切り欠き部に嵌め込まれた状態で、雄側連通管の流路と雌側連通管の流路との接続位置において、段差のない流路が形成されるようになっていることを特徴とする請求項１に記載の体外循環回路用コネクタ。
【請求項３】
請求項１又は２に記載の体外循環回路用コネクタが複数、用いられており、複数の体外循環回路用コネクタのうち、１の体外循環回路用コネクタにおける雄側リング又は雌側リングの色と他の体外循環回路用コネクタにおける雄側リング又は雌側リングの色とが異なることを特徴とする体外循環回路。
【発明の詳細な説明】
【技術分野】
【０００１】
本発明は、人工心肺用血液回路等の体外循環回路において、分岐部のない回路部分で使用されるものであり、第１管体及び第２管体を接続する体外循環回路用コネクタ、及び、この体外循環回路用コネクタを使用した体外循環回路に関する。
【背景技術】
【０００２】
血液を人体と体外装置間で循環させる際に使用される体外循環回路には、人工心肺用血液回路、人工腎臓用血液回路等がある。例えば、人工心肺用血液回路は、一般に、血液流路を形成する配管が患者の脱血口から順次、リザーバ（貯血槽）、送血ポンプ、熱交換器、人工肺、動脈フィルター等を介在させて、送血口に接続されている。
【０００３】
このような体外循環回路に装備される体外循環回路用コネクタとして、分岐部に介装するコネクタとしては、分岐部は、分岐管に接続される分岐管接続部と、本管に接続される本管接続部とからなり、分岐管接続部あるいは分岐管が本管接続部に回転自在に接続されているものが知られている（例えば、特許文献１参照）。
【０００４】
しかしながら、例えば、患者の脱血口とリザーバとを繋ぐ吸引回路等の分岐部のない回路では、患者の脱血口側のチューブ（管体）とリザーバ側のチューブ（管体）とを繋ぐコネクタ等、ストレートコネクタとして、例えば、コネクタ両端部がタケノコ状部分（段差を有する円錐状部分）となっており、このタケノコ状部分の各々に、２つの管体を夫々押し入れて接続し、場合によって、チューブとコネクタの接続を安定にするため、結紮帯等で固定していた。
【特許文献１】特開平１０−２６３０７６号公報
【発明の開示】
【発明が解決しようとする課題】
【０００５】
しかしながら、従来から行われているように、コネクタ両端部のタケノコ状部分の各々に、２つのチューブを夫々押し入れて接続する場合、端部が細めであり開口状態のチューブにタケノコ状部分を押し入れる必要があり、チューブ内を滅菌状態に保ちつつ、チューブにコネクタを押し入れることが難しかった。特に、チューブは通常巻いた状態で保管されているため、チューブが捩れないようにしつつ、チューブにコネクタを押し入れることは、困難であった。また、チューブにタケノコ状部分を押し入れたのみでは、チューブとコネクタの接続が不安定になる恐れがあり、また、チューブとコネクタの接続を安定にすべく、結紮帯等で固定すれば、チューブとコネクタの接続が煩雑になって時間もかかっていた。
【０００６】
また、従来から行われているようなチューブとコネクタの接続方式では、チューブとコネクタの相対位置関係が固定であり、手術中等に、チューブに捩れが生じてしまって術者に不都合な状態となった場合、術者が我慢を強いられつつ手術を続けるか、または、チューブをコネクタに接続しなおさなければならないという不具合を生じていた。
【０００７】
更に、従来、１の体外循環回路において、例えば、脱血回路及び吸引回路等の複数の回路部分を使用する場合、各々の回路部分を識別することが困難であり、これを解消するためには、手術毎等に、各々の回路部分に対し、色付きテープを貼り付ける等が必要であり、作業が煩雑となってしまっていた。
【０００８】
本発明は、このような従来技術の問題点を解決するものであって、簡単な操作で、滅菌状態を保ちつつ、分岐部のない回路部分で使用される複数の管体を接続することが可能であり、手術中等に、管体が回転等した場合にも、管体が捩れることを防止できる体外循環回路用コネクタ、及び、この体外循環回路用コネクタを使用した体外循環回路を提供することを目的とする。
【課題を解決するための手段】
【０００９】
以上の目的のため、本発明は、体外循環回路において使用される第１管体及び第２管体を接続する体外循環回路用コネクタにおいて、
一端部が第１管体連接部となっている雄側連通管、及び、雄側連通管の外周に装着され、雄側係合部が形成された雄側リングを有する雄コネクタ組立体と、
一端部が第２管体連接部となっている雌側連通管、及び、雌側連通管の外周に装着され、雄側係合部と係合する雌側係合部が形成された雌側リングを有する雌コネクタ組立体と、
雄側連通管と雌側連通管との間を密封するパッキンと、を備え、
雄側リングが雄側連通管に対して回動自在となっているか、又は、雌側リングが雌側連通管に対して回動自在となっており、
雌側リングが雌側連通管の軸方向に摺動可能となっているか、又は、雄側リングが雄側連通管の軸方向に摺動可能となっており、
雄コネクタ組立体及び雌コネクタ組立体を、相対的に雄側連通管の軸方向に近づけることによって、パッキンにより雄側連通管と雌側連通管との間を密封させた状態で、雄側リング又は雌側リングを回動させることにより、雄側リング係合部および雌側リング係合部の回動方向の位置を一致させ、雄側リング又は雌側リングを、雄側連通管の軸方向に近づけて移動させることにより、雄側リング係合部と雌側リング係合部とを係合させて、雄側連通管又は雌側連通管が回動しても、雄側リング及び雌側リングは一体として固定状態に維持されるようになっていることを特徴とする体外循環回路用コネクタである。
【００１０】
この発明によれば、パッキンにより雄側連通管と雌側連通管との間を密封させた状態で、雄側リング又は雌側リングを回動させることにより、雄側リング係合部および雌側リング係合部の回動方向の位置を一致させ、雄側リング又は雌側リングを、雄側連通管の軸方向に近づけて移動させることにより、雄側リング係合部と雌側リング係合部とを係合させることにより、第１の管体及び第２の管体をコネタクで接続することができるので、簡単な操作で、滅菌状態を保ちつつ、複数の管体を接続できる。
【００１１】
また、雄側リングが雄側連通管に対して回動自在となっているか、又は、雌側リングが雌側連通管に対して回動自在となっており、雄側リング係合部と雌側リング係合部とを係合させている状態において、雄側連通管又は雌側連通管が回動しても、雄側リング及び雌側リングは一体として固定状態に維持されるようになっているので、手術中等に、術者が操作しやすい位置に回路部分を動かしたい場合や誤って回路部分が移動された場合等により、第１の管体または第２の管体の位置が変わったり、回転したりしても、雄側リング及び雌側リングは一体として固定状態に維持されるため、雄側連通管と雌側連通管との密閉状態を維持できると共に、他方の管体が回転等してしまうことを防止でき、第１の管体または第２の管体が捩れてしまうことを防止でき、手術の安全性を高めることができる。
【００１２】
また、本発明において、雌側連通管は、一端部側に細径部、他端部側に太径部、細径部と太径部を繋ぐ段差部を有し、
雄側リングは雄側連通管に対して回動自在となっていると共に、雄側リングは雄側連通管の軸方向に摺動できず、更に、雌側リングは雌側連通管に対して回動できないと共に、雌側リングは雌側連通管の軸方向に摺動可能となっており、
パッキンは、雄側連通管外周部における第１管体連接部に対し反対側端部に固定されており、
雄側リング係合部は切り欠き部、雌側リング係合部は切り欠き受部となっており、
雄コネクタ組立体を雌コネクタ組立体に対し近づけることによって、パッキンを雌側連通管の段差部内面に当接させた状態で、雄側リングを回動させることにより、切り欠き部および切り欠き受部の回動方向の位置を一致させ、雌側リングを、雄側連通管の軸方向に近づけて移動させることにより、切り欠き受部を切り欠き部に嵌め込んで、雄側連通管が回動しても、雄側リング、雌側リング、及び雌側連通管は固定状態に維持されるようになっており、
切り欠き受部が切り欠き部に嵌め込まれた状態で、雄側連通管の流路と雌側連通管の流路との接続位置において、段差のない流路が形成されるようになっていても良い。
【００１３】
この発明によれば、切り欠き受部が切り欠き部に嵌め込まれた状態で、雄側連通管の流路と雄側連通管の流路との接続位置において、段差のない流路が形成されるようになっているので、流路内において、段差に血液等が衝突してしまい溶血等が生じることを防止できる。
また、雄側リングは雄側連通管に対して回動自在となっていると共に、雄側リングは雄側連通管の軸方向に摺動できず、更に、雌側リングは雌側連通管に対して回動できないと共に、雌側リングは雌側連通管の軸方向に摺動可能となっているとの構成を備え、切り欠き受部を切り欠き部に嵌め込んだ際、雄側連通管が回動しても、雄側リング、雌側リング、及び雌側連通管は固定状態に維持されるようになっているので、雄側連通管が雌側連通管に対し密閉状態を損なうことなく回動可能となり、また、手術中等に、第１の管体が回転しても、第２の管体が回転等してしまうことを防止でき、第１の管体または第２の管体が捩れてしまうことを防止できて、手術の安全性を高めることができる。
【００１４】
また、本発明は、上記体外循環回路用コネクタが複数、用いられており、複数の体外循環回路用コネクタのうち、１の体外循環回路用コネクタにおける雄側リング又は雌側リングの色と他の体外循環回路用コネクタにおける雄側リング又は雌側リングの色とが異なることを特徴とする体外循環回路である。
この発明によれば、１の体外循環回路において、例えば、脱血回路及び吸引回路等の複数の回路部分を使用する場合、各々の回路部分を識別することが困難となることを防止でき、また、識別しやすくするために、手術毎等に、各々の回路部分に対し、色付きテープを貼り付ける等が必要となり、作業が煩雑となってしまうことを防止できる。
【発明の効果】
【００１５】
本発明によれば、パッキンにより雄側連通管と雌側連通管との間を密封させた状態で、雄側リング又は雌側リングを回動させることにより、雄側リング係合部および雌側リング係合部の回動方向の位置を一致させ、雄側リング又は雌側リングを、雄側連通管の軸方向に近づけて移動させることにより、雄側リング係合部と雌側リング係合部とを係合させることにより、第１の管体及び第２の管体をコネタクで接続することができるので、簡単な操作で、滅菌状態を保ちつつ、複数の管体を接続できる。
【００１６】
また、雄側リングが雄側連通管に対して回動自在となっているか、又は、雌側リングが雌側連通管に対して回動自在となっており、雄側リング係合部と雌側リング係合部とを係合させている状態において、雄側連通管又は雌側連通管が回動しても、雄側リング及び雌側リングは一体として固定状態に維持されるようになっているので、手術中等に、術者が操作しやすい位置に回路部分を動かしたい場合や誤って回路部分が移動された場合等により、第１の管体または第２の管体の位置が変わったり、回転したりしても、雄側リング及び雌側リングは一体として固定状態に維持されるため、雄側連通管と雌側連通管との密閉状態を維持できると共に、他方の管体が回転等してしまうことを防止でき、第１の管体または第２の管体が捩れてしまうことを防止でき、手術の安全性を高めることができる。
【発明を実施するための最良の形態】
【００１７】
以下、本発明の実施の形態による体外循環回路用コネクタ２７につき、図面を参照して説明する。
図１〜４は、本発明の実施の形態による体外循環回路用コネクタ２７の接続動作を示す図であり、図４は、体外循環回路用コネクタ２７の接続が完了した状態を示している。また、図５は、本発明の実施の形態による体外循環回路用コネクタ２７の軸線方向に沿った断面図である。
【００１８】
本発明の実施の形態による体外循環回路用コネクタ２７は、雄コネクタ組立体１と、雌コネクタ組立体９と、パッキン６とを備えている。
雄コネクタ組立体１は、病院での、人工心肺用血液回路の吸引回路における術者側（患者の脱血口側）の第１の管体（第１のチューブ）（図示せず）と接続される。
雌コネクタ組立体９は、器械側（リザーバ側）の第２の管体（第２のチューブ）（図示せず）と接続される。
【００１９】
パッキン６は、雄側コネクタ組立体１と雌側コネクタ組立体９との間を密封させた状態に保つ。
雄コネクタ組立体１は、内部が血液流路となっている雄側連通管２と、雄側連通管２の外周に嵌合される雄側リング３とを備えている。
雄側リング３は雄側連通管２に対して、回動可能であるが、摺動できないように構成されている。
雄側連通管２は、雄側連通管本体２８と、環状突出体３４と、パッキン係合突起３５とを備えている。
雄側連通管本体２８は、内部が流路となっており、患者の脱血口側の端部が雄側チューブ連接部５となっており、その反対側の端部が、雌コネクタ組立体９と雄側コネクタ組立体１とが接続された状態で、雌コネクタ組立体９の流路と接続する雄側連通管接続口４となっている。
【００２０】
環状突出体３４は、雄側連通管本体２８の外周部の軸方向略中間部に、雄側連通管本体２８と一体に設けられており、環状突出体３４の先端には、一対のフランジ１６、１７が形成されており、一対のフランジ１６、１７の間は、環状突出体先端凹部３６となっている。
パッキン係合突起３５は、雄側連通管本体２８の外周部の雄側連通管接続口４近傍に、雄側連通管本体２８と一体に形成されており、パッキン６を係合させるための突起である。
【００２１】
雄側リング３は、雄側リング本体２９と、雄側リング係合突起部７と、雄側リング内方突出部（フランジ）１８とを備えている。
雄側リング３は、例えば、予め、紫色に着色されている。尚、雄側リング３は、例えば、脱血回路に使用する場合は紫色に着色し、吸引回路に使用する場合は緑色に着色する等、回路部分の種類に応じて、１の体外循環回路において異なる色に着色して使用することができる。
雄側リング本体２９における、雌側リング１１との係合側（接続側）には、４箇所に、切り欠き部（雄側係合部）８が形成されている。
【００２２】
雄側リング係合突起部７は、雄側リング本体２９における雌側リング１１との係合側端部であり、４つの切り欠き部８に対応する位置に、雄側リング本体２９の内側に突出して設けられている。
雄側リング内方突出部１８は、雄側連通管２の一対のフランジ１６、１７の間の環状突出体先端凹部３６内に、嵌め込まれ（スナップフィット）、これにより、雄側リング３が雄側連通管２に回動自在に固定される。
【００２３】
パッキン６は、雄側連通管２の外周部の雄側連通管接続口４側の端部に嵌め込まれる。この際、パッキン凹部３７が、雄側連通管２のパッキン係合突起３５に嵌まることにより、パッキン６の雄側連通管２に対する位置が固定される。また、パッキン６には、パッキン孔３８が形成されており、雄側連通管２外周のパッキン孔用突起３９に嵌まり込む。
パッキン６は、後述するような、雌側連通管１０における、太径部３３内面及び段差部２３内面を押圧した状態に維持されることにより、雄側連通管２と雌側連通管１０とを密封状態に保つ。
【００２４】
雌コネクタ組立体９は、内部が血液流路となっている雌側連通管１０と、雌側連通管１０の外周に嵌合される雌側リング１１とを備えている。
雌側リング１１は、雌側連通管１０に対して、摺動可能であるが、回動できないように構成されている。
雌側連通管１０は、雌側連通管本体３０と、第１突起１４と、雌側連通管係合部１９と、第２突起２０と、第３突起２１とを備えている。
【００２５】
雌側連通管本体３０は、第２の管体と接続側が細径部３２、雄側コネクタ組立体１との接続側が太径部３３となっており、細径部３２と太径部３３とが段差部２３を介して一体に形成されている。太径部３３内には、雄側連通管２の雄側連通管接続口４側の端部及びその外周に嵌め込まれているパッキン６が入り込んでいる。
【００２６】
雌側連通管本体３０の一端部は、雌側チューブ連接部１２となっており、他端部は、雌側連通管接続口１３となっている。
第１突起１４は、太径部３３の外周部における細径部３２の近傍に形成されている。
【００２７】
雌側連通管係合部１９は、雌側連通管本体３０の外周部の他端部（雄側コネクタ組立体１側の端部）側先端部に、間隔を置いて、４ヶ所、設けられており、雄側リング３の雄側リング係合突起部７を係合した状態で回動させる。この内、１ヶ所は、Ｌ字状となっており、このＬ字状における横板部分４０に雄側リング係合突起部７が当たって、雄側リング係合突起部７の回動が停止される。
【００２８】
第２突起２０は、雌側連通管本体３０の外周部の第１突起１４よりも他端部側に形成されている。第２突起２０は、雌側リング１１を、雌側連通管１０の太径部３３外周部上を摺動させつつ、雄側連通管２の軸方向に移動させた場合、雌側リング１１の雄側リング３側の先端部が当たって乗り越えることにより、作業者にクリック感をもたらすようにする。
【００２９】
第３突起２１は、雌側連通管本体３０の外周部における、Ｌ字状の雌側連通管係合部１９よりも雄側リング係合突起部７の回動方向手前（直前）に形成される。雄側リング３を回動している際、雄側リング係合突起部７がＬ字状における横板部分（移動止部）４０に当たる直前に、雄側リング係合突起部７が第３突起２１を乗り越えることで、作業者にクリック感をもたらすようにする。
【００３０】
雌側リング１１は、雌側リング本体３１と切り欠き受部（雌側係合部）２２とを備えている。
雌側リング１１は、例えば、予め、紫色に着色されている。尚、雌側リング１１は、例えば、脱血回路に使用する場合は紫色に着色し、吸引回路に使用する場合は緑色に着色する等、回路部分の種類に応じて、１の体外循環回路において異なる色に着色して使用することができる。
雌側リング本体３１は、接続先端側に対する接続反対側内方に、軸方向に４つの誘導溝１５が穿設されており、誘導溝１５が雌側連通管１０の第１突起１４と係合した状態で、雌側リング１１が雌側連通管本体３０の太径部３３上を軸方向に摺動可能なようになっている。
【００３１】
切り欠き受部２２は、雌側リング本体３１の接続先端側の４箇所に備えられており、雌側リング１１が摺動して雄側リング３に近づいた際、雄側リング３の切り欠き部８に嵌まり込んで係合する。
【００３２】
尚、上記実施の形態において、雌側リング１１が雌側連通管１０の軸方向に摺動可能となっており、雌側リング１１が雌側連通管１０に対して回動できず、雄側リング３が雄側連通管２の軸方向に摺動できず、雄側リング３が雄側連通管２に対して回動可能である構成を示した。しかしながら、この構成とは反対に、雌側リング１１が雌側連通管１０の軸方向に摺動できず、雌側リング１１が雌側連通管１０に対して回動可能であり、雄側リング３が雄側連通管２の軸方向に摺動可能であり、雄側リング３が雄側連通管２に対して回動できない構成であっても良い。この構成であれば、雌側連通管１０が雄側連通管２に対し密閉状態を損なうことなく回動可能となり、また、手術中等に、第２の管体が回転しても、第１の管体が回転等してしまうことを防止でき、第１の管体または第２の管体が捩れてしまうことを防止できて、手術の安全性を高めることができる。
【００３３】
次に、図１〜４を参照して、本発明の実施の形態による体外循環回路用コネクタ２７を接続させる動作を示す。
この体外循環回路用コネクタ２７を分岐部を介装しない回路で使用する場合、雄コネクタ組立体１の雄側チューブ連接部５、及び、雌コネクタ組立体９の雌側チューブ連接部１２の夫々に、第１管体（第１チューブ）と第２管体（第２チューブ）の夫々の端部が接続される。
【００３４】
図１におけるような、雄コネクタ組立体１と雌コネクタ組立体９が離間した状態から、図２におけるように、雌側連通管１０の雌側連通管接続口１３における雌側連通管係合部１９がない部分に雄側リング３の切り欠き部８を合わせて、パッキン６の先端が、雌側連通管１０の段差部２３の内面に当接する位置まで雄コネクタ組立体１を雌コネクタ組立体９に挿入する。
図３におけるように、雄側リング３を左方向（時計回りと逆方向）に回動させると、切り欠き部８の内面側に付設した雄側リング係合突起部７は、雌側連通管係合部１９と係合しつつ誘導されて、雌側連通管係合部１９のＬ字状における横板部分（移動止部）４０まで移動して停止する。
【００３５】
この際、雌側連通管係合部１９の横板部分４０手前（直前）の第３突起２１上を雄側リング係合突起部７が通過するので、操作者に、クリック感により、雌側リング１１が回転停止位置に達したことが分かる。
【００３６】
次に、図４におけるように、雌側リング１１を雄側リング３との接続側に押し込み、雌側連通管１０の太径部３３外周部上を摺動させると、雌側リング１１は、軸方向に移動する。
この際、雌側連通管１０の第２突起２０上を雌側リング１１の接続先端が通過することにより、操作者は、２回目のクリック感が得られ、雌側リング１１が所定位置（雄側リング３との係合位置）に達することが把握される。
【００３７】
雌側リング１１が所定位置に達すると、雌側リング１１の切り欠き受部２２が雄側リング３の切り欠き部８に嵌合し、雄側リング３と雌側リング１１とが係着して、接続ロック機構が形成される。これにより、雄側連通管２が回動しても雄側リング３と雌側リング１１とを一体として固定状態に維持させることができる。この接続ロック機構は、見かけ上、１つのリングとなるので、接続完了を目視でも確認できる。
尚、雄側リング３は雄側連通管２に対して回動可能に装着されているので、接続ロック機構は、第１管体に対して回動可能となり、接続した回路に対して回動可能となる。
また、切り欠き受部２２が切り欠き部８に嵌め込まれ、接続ロック機構が形成された状態で、雄側連通管２の流路と雌側連通管１０の流路との接続位置において、段差のない流路が形成されるようになっている。
【００３８】
一方、上記動作と逆の手順で、雄コネクタ組立体１と雌コネクタ組立体９との接続を解除できる。
即ち、雌側リング１１を接続側から反対方向に引くと、雌側リング１１の接続先端が雌側連通管１０の外周部に設けられた第１突起１４で係止され、移動停止させられるまで、雌側連通管１０の太径部３３の外周部上を軸方向に移動する。
【００３９】
この際、雌側連通管１０の外周部に設けられた第２突起２０上を、雌側リング１１の接続先端が通過することにより、操作者にクリック感があり、雌側リング１１が所定位置（雄側リング３との係合位置）から移動し始めたことが把握される。
これにより、雌側リング１１の切り欠き受部２２と雄側リング３の切り欠き部８の嵌合（係合）が解除されるため、雄側リング３は右方向（時計回り方向）に回動可能となる。
【００４０】
切り欠き部８が雌側リング１１の雌側連通管係合部１９のない位置に達するまで、雄側リング３を回動すると、切り欠き部８の内面側の雄側リング係合突起部７は、雌側連通管係合部１９の回転停止位置から移動して、雌側連通管係合部１９との係合が解除され、雄コネクタ組立体１を雌コネクタ組立体９から引き抜くことができる。これにより、体外循環回路用コネクタ２７による接続が解除される。
【００４１】
上述のように、本発明の実施の形態による体外循環回路用コネクタ２７では、雄側リング３、及び、雌側リング１１の摺動の２動作により、雄コネクタ組立体１と雌コネクタ組立体９との接続および接続解除がなされるため、不注意による接続、接続解除を防止でき、事故の危険性を最小限にとどめることができる。
【００４２】
また、第３突起２１上を雄側リング係合突起部７が通過した際のクリック感により、雌側リング１１が回転停止位置に達したことや雌側リング１１が回転停止位置から移動し始めたことが分かり、更に、第２突起２０上を、雌側リング１１の接続先端が通過することによるクリック感により、雌側リング１１が所定位置（雄側リング３との係合位置）に達することや雌側リング１１が所定位置（雄側リング３との係合位置）から移動し始めたことが把握されるので、不注意による接続、接続解除を防止でき、事故の危険性を最小限にとどめることができる。
【産業上の利用可能性】
【００４３】
本発明は、体外循環回路用コネクタを製造する産業で利用される。
【図面の簡単な説明】
【００４４】
【図１】本発明の実施の形態による体外循環回路用コネクタの接続動作を示す図である。
【図２】本発明の実施の形態による体外循環回路用コネクタの接続動作を示す図である。
【図３】本発明の実施の形態による体外循環回路用コネクタの接続動作を示す図である。
【図４】本発明の実施の形態による体外循環回路用コネクタを示す斜視図である。
【図５】本発明の実施の形態による体外循環回路用コネクタの軸線方向に沿った断面図である。
【符号の説明】
【００４５】
１‥‥雄コネクタ組立体、２‥‥雄側連通管、３‥‥雄側リング、５‥‥第１管体連接部（雄側チューブ連接部）、６‥‥パッキン、８‥‥雄側係合部（切り欠き部）、１０‥‥雌側連通管、１１‥‥雄側リング、１２‥‥第２管体連接部（雌側チューブ連接部）、２２‥‥雌側係合部（切り欠き受部）、２３‥‥段差部、２７‥‥体外循環回路用コネクタ、３２‥‥細径部、３３‥‥太径部
【図１】
2006000280.tif 000003
【図２】
2006000280.tif 000004
【図３】
2006000280.tif 000005
【図４】
2006000280.tif 000006
【図５】
2006000280.tif 000007